(57)【要約】【課題】異なる表面仕上げを多面的に配した金属立体飾り及び立体化加工法を目的とする。【解決手段】金属板材の平板状態にてサーキュラー状ヘアーライン２ａ及びシルク印刷２ｂの異なる表面仕上げを施し、サーキュラー状ヘアーライン２ａとシルク印刷２ｂの境目が曲げ加工のラインとなるよう、プレス加工にて立体形状を形成する。その際、各種表面仕上げの境目がストレート部分２ｃ上に配されることにより、各々の表面仕上げの境目が美しく、又平板状態にて実施された各種表面仕上げの位置ズレが吸収できた低価格で高品位な金属外装部品が形成できる。【選択図】  図４
2004343599.tif 000002
【特許請求の範囲】
【請求項１】
画像ファイルを解析し、フレームレートを判定するフレームレート判定手段と、オーディオとビデオのストリームに分離する分離手段と、前記分離手段で分離されたオーディオストリームをデコードするオーディオデコーダと、前記フレームレート判定手段から出力されるフレームレート情報によって、前記オーディオデコーダから出力されるオーディオデータの複製・間引きの補正をして再生時間を調整するオーディオデータ調整手段と、前記オーディオデータ調整手段から出力されるオーディオストリームをエンコードするオーディオエンコーダとを備えることを特徴とするＡＶ同期調整方法。
【請求項２】
前記分離手段が出力するビデオストリームと前記オーディオエンコーダから出力されるオーディオストリームを再び多重化する多重化手段をさらに備えることを特徴とする、請求項１記載のＡＶ同期調整方法。
【請求項３】
前記オーディオデータ調整手段が通過したオーディオデータをカウントするオーディオデータ数カウント手段と、バイト単位でデータを加・減するオーディオデータ増減手段とから構成されることを特徴とする、請求項１または請求項２記載のＡＶ同期調整方法。
【請求項４】
前記分離手段から出力されるビデオストリームデータのドロップフレーム表記のタイムコードをノンドロップフレーム表記のタイムコードに変換する、あるいはノンドロップフレーム表記のタイムコードをドロップフレーム表記のタイムコードに変換するタイムコード変換手段をさらに備えることを特徴とする、請求項３記載のＡＶ同期調整方法。
【請求項５】
請求項１から請求項４のいずれか記載のＡＶ同期調整方法により同期調整を行うＡＶ同期調整装置。
【発明の詳細な説明】
【０００１】
【発明の属する技術分野】
本発明は、ＭＰＥＧ方式で圧縮記録されたＡｕｄｉｏ／Ｖｉｄｅｏデータ（以下、ＡＶデータと略称）をＤＶＤ等の光ディスクメディアに記録するためのデータ形式に変換する際にＡＶデータの同期のずれが発生しないように補正するためのＡＶ同期調整方法及び装置に関するものである。
【０００２】
【従来の技術】
近年、パーソナルコンピュータ（以下、ＰＣと略称）でＴＶ番組等のＡｕｄｉｏ／Ｖｉｄｅｏデータを楽しむことができるようになってきている。ＰＣではハードディスクドライブ（以下、ＨＤＤと略称）の容量を抑えるために、ＭＰＥＧ（Ｍｏｖｉｎｇ  Ｐｉｃｔｕｒｅ  Ｅｘｐｅｒｔｓ  Ｇｒｏｕｐ）方式のデータ圧縮を行って記録されることが多くなり、ＰＣ上でこれらのＭＰＥＧ方式のデータ（以下、ＭＰＥＧデータと略称）を高速に検索・閲覧し、再生・編集できる圧縮動画像簡易編集装置などが提案されている（例えば特許文献１参照。）。また光ディスクの蓄積メディアの普及に伴って、それぞれのメディアに記録するＭＰＥＧデータの設定が規定されており、ＭＰＥＧデータといってもいろいろな設定で圧縮されたＭＰＥＧデータがＨＤＤ上に蓄積されるようになっている。さらに、これらのデータを光ディスクに記録することが行われ始めている。
【０００３】
【特許文献１】
特許第３０６０９１９号公報
【０００４】
【発明が解決しようとする課題】
ＮＴＳＣ方式のＴＶ放送では２９．９７フレーム／秒のフレームレートで放送がされている一方、今後普及しようとしているアドバンスドＴＶ、デジタルＴＶ放送などの規格では３０フレーム／秒で記録することが規定されている。ＭＰＥＧの規格では３０フレーム／秒、２９．９７フレーム／秒のフレームレートが共に許容されている。このように、ＭＰＥＧデータといってもいろいろなフレームレートで圧縮されたＭＰＥＧデータがＨＤＤ上に蓄積されるようになっている。しかし例えば３０フレーム／秒のフレームレートで記録されたＭＰＥＧデータをＤＶＤに記録するためにはフレームレートを２９．９７フレーム／秒に変換すればよいことになる。この場合フレームレートの変換により音声のデータが０．０３フレーム／秒分短くなる。あるいは逆に２９．９７フレーム／秒のフレームレートで記録されたＭＰＥＧデータを３０フレーム／秒に変換するような場合、フレームレートの変換により音声のデータが０．０３フレーム／秒分長くなるという課題があった。
【０００５】
【課題を解決するための手段】
上記課題を解決するために、本発明（請求項１）にかかるＡＶ同期調整方法は、画像ファイルを解析し、フレームレートを判定するフレームレート判定手段と、オーディオとビデオのストリームに分離する分離手段と、分離手段で分離されたオーディオストリームをデコードし、非圧縮のデジタルデータに戻すオーディオデコーダと、フレームレート判定手段から出力されるフレームレート情報によって、オーディオデコーダから出力されるオーディオデータの複製・間引きの補正をして再生時間を調整するオーディオデータ調整手段と、再び圧縮したオーディオストリームの生成するオーディオエンコーダとを備え、一旦非圧縮に戻されたデジタルデータを加減して再生時間を調整することでビデオと同期のとれるオーディオストリームを生成できる構成としたものである。
【０００６】
また、本発明（請求項２）にかかるＡＶ同期調整方法は、さらにオーディオ／ビデオ多重化手段を備えることで、同期がとれたオーディオとビデオのストリームが１つの多重化されたストリームとしても出力できる構成としたものである。
【０００７】
また、本発明（請求項３）にかかるＡＶ同期調整方法は、オーディオデータ調整手段を、通過したオーディオデータをカウントするオーディオデータ数カウント手段と、バイト単位でデータを加・減するオーディオデータ増減手段とで構成し、一定のバイト間隔でデータを加・減できる構成としたものである。
【０００８】
また、本発明（請求項４）にかかるＡＶ同期調整方法は、タイムコード変換手段を備え、ドロップフレームとノンドロップフレームで異なるタイムコードの表記方法を変換できる構成としたものである。
【０００９】
また、本発明（請求項５）にかかるＡＶ同期調整装置は、請求項１から請求項４のいずれか記載のＡＶ同期調整方法により同期調整を行うＡＶ同期調整装置である。
【００１０】
【発明の実施の形態】
以下、本発明の実施の形態を添付図面に基づき詳細に説明する。
【００１１】
（実施の形態１）
図１は本発明の実施の形態１による同期調整装置の構成を示すブロック図であり、例えば２９．９７フレーム／秒のフレームレートで構成されたＭＰＥＧのプログラムストリーム（以下ＰＳ）を３０フレーム／秒のノンドロップ表記のＭＰＥＧのエレメンタリビデオストリーム（ＥＶＳ）とエレメンタリオーディオストリーム（ＥＡＳ）に変換する場合を例にとって説明する。図において１０１はフレームレート判定手段で、ＭＰＥＧのプログラムストリームに重畳されているエレメンタリビデオストリームのフレームレートを判定する。例えばエレメンタリビデオストリームの”ｆｒａｍｅ＿ｒａｔｅ＿ｃｏｄｅ”の値を用いて判別するような場合、２進数表記で０１０１（２）というｆｒａｍｅ＿ｒａｔｅ＿ｃｏｄｅは３０フレーム／秒と判定し、０１００（２）というｆｒａｍｅ＿ｒａｔｅ＿ｃｏｄｅなら２９．９７フレーム／秒と判定する。ここで３０フレーム／秒である場合、そのプログラムストリームを１０２のＡｕｄｉｏ／Ｖｉｄｅｏ分離手段へ送ると共に１０４のＡｕｄｉｏデータ調整手段にフレームレート情報を送ることによりオーディオデータの時間調整を指示する。１０２はＡｕｄｉｏ／Ｖｉｄｅｏ分離手段であり、送られてきたＰＳをパケットの内容を解析してその内包データであるペイロード部分のみをオーディオとビデオに分離してオーディオはＥＡＳとして１０３のＡｕｄｉｏでコーダに送り、ビデオはＥＶＳとして出力する。ここで、ペイロード部分とは、プログラムストリームのパックヘッダやパケットヘッダで付与される時間情報やストリーム情報などのヘッダの冗長部分を除いたＡｕｄｉｏデータやＶｉｄｅｏデータそのもののことである。１０３はＡｕｄｉｏデコーダであり、送られてきたＥＡＳをデコードし、例えばリニアなパルスコードモジュレーション（以下、ＬＰＣＭと略称）の非圧縮オーディオストリームとして出力する。１０４はＡｕｄｉｏデータ調整手段であり、ＬＰＣＭの音声ストリームに対し、フレームレート情報に従って音声データを間引き、あるいは複製して補正後非圧縮オーディオストリームに変換して出力する。１０５はＡｕｄｉｏでコーダであり、補正後非圧縮オーディオストリームをＭＰＥＧ圧縮処理し、ＭＰＥＧのエレメンタリオーディオストリームに変換する。
【００１２】
次に動作について説明する。例えば、入力されるデータがＥＶＳのフレームレートが２９．９７フレーム／秒で総フレーム数が２９９７０フレームの長さのＰＳであり、３０フレーム／秒にフレームレート変換が必要な場合、まず、フレームレート判定手段１０１で２９．９７フレーム／秒と判定されるため、これを３０フレーム／秒に変換するようにＡｕｄｉｏ調整手段１０４に指示すると共に、このＰＳデータはＡｕｄｉｏ／Ｖｉｄｅｏ分離手段１０２へ送られる。
【００１３】
Ａｕｄｉｏ／Ｖｉｄｅｏ分離手段１０２では、ビデオデータをＥＶＳとしてそのまま出力し、ＥＡＳは時間調整を行うためにＡｕｄｉｏデコーダ１０３で非圧縮オーディオストリーム（ＬＰＣＭ）に解凍したのちＡｕｄｉｏデータ調整手段１０４に送られる。２９．９７フレーム／秒で総フレーム数が２９９７０フレームのＥＶＳの場合再生時間は、図２の▲１▼に示すように、２９９７０／２９．９７＝１０００秒となる。しかしこの２９９７０フレームのＥＶＳを３０フレーム／秒に変換した後は、図２の▲２▼に示すように、２９９７０／３０＝９９９秒となり、１０００秒で３０フレーム（約１秒）の時間的な差異を生じる。エレメンタリビデオストリームではこのように再生時間が変化するだけであるが、ＬＰＣＭではこの差異が残ってしまうため、ＥＶＳより１秒再生時間が長い結果となってしまう（図２の▲３▼）。Ａｕｄｉｏデータ調整手段１０４では、ＬＰＣＭを等間隔で間引くことにより、データ上の時間を合わせて、音の途切れを発生することなく、ＡＶ同期ずれを発生しなくすることを可能とする。このＬＰＣＭの間引き方法の一例としては、１０００秒のデータではオーディオを約１秒間分引く必要があるが、これを特定の１秒分の音声データを間引きした場合は聴感上音声の途切れが顕著に検知されるという問題がある。そのため、例えば４８ＫＨＺ、１６ビットステレオ方式のＬＰＣＭの場合、１秒間分は４８０００×１６×２（ｂｉｔｓ）  ＝  １９２０００（ｂｙｔｅｓ）のデータを１０００秒の間に均等に間引くという方法をとることにより、聴感上の音の途切れを感じることなく、音声の間引きを行うことができる。すなわち、図２の▲４▼に示すように、４０００バイトに１回４バイト分のデータを間引くことをすればよいことになる。（ステレオ方式ではＬ，Ｒの２ｃｈを対にしてデータが構成され、最小で各２バイト＝ＬＲの４バイトで構成される。今１０００秒＝１９２００００００バイトのデータ中に１秒＝１９２０００バイトの音声データを間引く必要があるため、例えば４０００バイトのデータでは４バイト間引く必要がある。）このようにデータを間引くことによって、補正後ＥＡＳの再生時間の調整をして、図２の▲５▼に示すように、ＥＶＳ同様、９９９秒の再生時間にすることができる。この補正後、ＬＰＣＭをＡｕｄｉｏデコーダ１０５でＭＰＥＧ圧縮処理をして、ＭＰＥＧのＥＡＳに変換することにより、Ａｕｄｉｏ／Ｖｉｄｅｏ分離手段１０２から出力されるＥＶＳと再生時間が同じとなるために、同期のとれるデータとすることができる。
【００１４】
（実施の形態２）
図３の実施の形態２では、さらにＡｕｄｉｏ／Ｖｉｄｅｏ多重化手段１０６を備えた構成とし、ＥＶＳとＥＡＳを再び多重化されたＰＳとして出力できるようにしたものである。
【００１５】
（実施の形態３）
図４の実施の形態３では、実施の形態１のＡｕｄｉｏデータ調整手段１０４としてＡｕｄｉｏデータカウント手段１０７とＡｕｄｉｏデータ増減手段１０８を備えたものである。Ａｕｄｉｏデータカウント手段１０７では、例えば図２の▲４▼のように、４０００バイトに４バイトを間引く場合には、Ａｕｄｉｏデコーダ１０３から送られてくるＬＰＣＭデータのバイト数を１からインクリメントカウントしながらデータをＡｕｄｉｏデータ増減手段１０８に渡し、４０００−４＝３９９６バイトまでインクリメントしたらＡｕｄｉｏデータ増減手段に増減指示信号をデータと同時に渡し、内部のカウンタは０にリセットして次のカウントサイクルに入る。Ａｕｄｉｏデータ増減手段１０８では、増減指示信号が送られてきた際にフレームレート情報を参照して、２９．９７→３０の場合には、３９９６バイトから４バイトのデータをＡｕｄｉｏエンコーダに送らないように制御してデータの間引きを行う。フレームレート情報が２９．９７→２９．９７あるいは３０→３０のように変換する必要のない場合には、３９９７バイト目から４０００バイト目も普通にエンコーダに送る。フレームレート情報が３０→２９．９７の場合は、３９９７バイト目から４０００バイト目を送った後、重ねて同じ３９９７バイト目から４０００バイト目のデータをエンコーダに送ることによって４バイトのデータを増加させる。このよう構成し、動作させることで補正後のＬＰＣＭの再生時間を増加させたり、減少させたりすることを可能にする。
【００１６】
（実施の形態４）
図５の実施の形態４では、Ａｕｄｉｏ／Ｖｉｄｅｏ分離手段１０２のＥＶＳ出力の後ろにタイムコード変更手段を備えた構成としたものであり、２９．９７フレーム／秒のドロップフレーム表記のタイムコードからの変換あるいは、ドロップフレーム表記のタイムコードへの変換も可能とするものである。例えば２９．９７フレーム／秒のフレームレートの場合、時間情報を表すタイムコートの表記の仕方としてドロップフレーム表記とノンドロップ表記があり、ドロップフレーム表記のタイムコードで記録されているＥＶＳでは、例えば０１：０１：００：００，０１：０１：００：０１というタイムコード表記は存在するが、ノンドロップ表記のタイムコードで記録されている場合は毎分、００秒のとき、００フレームと０１フレームをスキップするという決まりのため、０１：０１：００：００，０１：０１：００：０１というタイムコードが記録されてはいけない。（タイムコードとは、時（ｈ）、分（ｍ）、秒（ｓ）、フレーム（ｆ）を“ｈｈ：ｍｍ：ｓｓ：ｆｆ”というように示す表示方法であり、ドロップフレーム表記とノンドロップフレーム表記とかがある。ドロップフレーム表記の場合は２９．９７という端数の調整をするために、うるう年のように定期的にあるルールに基づいたタイムコードの表示をスキップするという方法である。例えばスキップのルールとしては、秒の位の値が００となった際にフレームの００と０１の表示となる場合にその値をスキップして０２からとするといったものであり、業務用のシステムなどでは一般的な手法である。）このため、タイムコード変換手段１０９では２９．９７フレーム／秒でドロップ表記のタイムコードを３０フレーム／秒に変換するような場合、ＭＰＥＧエレメンタリビデオストリーム（ドロップフレーム表記）のデータで、例えば、タイムコードが０１：００：５９：２９の次にある０１：０１：００：０２には、本来欠落している０１：０１：００：００を，その次の０１：０１：００：０３には、０１：０１：００：０１を付与してドロップフレーム表記に戻す動作を行う。（ノンドロップフレームの表記では定期的にスキップしているタイムコードの値（秒の位が００となった際にフレームの００と０１の表示をスキップして０２からとするルール）を元に戻す必要がある。）
このように、本実施にかかる同期調整装置では、２９．９７フレーム／秒→３０フレーム／秒への変換、あるいはノンドロップフレーム表記→ドロップフレーム表記等の変換を一旦ＥＶＳをデコードしたから再びエンコードをしなおす等の時間をかけずに処理できるようになるため、画質の劣化を発生させることなく高速に処理できるようになる。なお、本実施例はＭＰＥＧプログラムストリームでの動作を例に説明を行ったが、これは本発明を限定するものではなく、同様の構成でＭＰＥＧ以外のデジタルＡＶデータでも容易に実現可能である。
【００１７】
【発明の効果】
このように、本発明のＡＶ同期調整装置は、ＭＰＥＧファイルを解析するフレームレート判定手段によりフレームレートを判別し、フレームレートの変換が必要な場合に、まずＭＰＥＧファイルをＡｕｄｉｏ／Ｖｉｄｅｏ分離手段でオーディオとビデオのエレメンタリストリームに分離し、Ａｕｄｉｏでコーダで前記分離手段で分離されたエレメンタリＡｕｄｉｏストリームを非圧縮のデジタルデータに戻し、Ａｕｄｉｏデータ調整手段でデータの複製・間引きをして再生時間の補正をした後、再びＡｕｄｉｏエンコーダでエレメンタリＡｕｄｉｏストリームに圧縮、Ａｕｄｉｏ／Ｖｉｄｅｏ多重化手段でエレメンタリＡｕｄｉｏストリームとエレメンタリＶｉｄｅｏストリームを１つのＭＰＥＧファイルに戻す構成としていることにより、従来は単純に変換するとＡＶ同期ずれを発生することなく、あるいは不快な音途切れが発生することなく、全てのビデオデータを一旦デコードしたのちエンコードをすることで長大な時間を経ることなく３０フレーム／秒のＭＰＥＧファイルから２９．９７フレーム／秒のノンドロップ表記のＭＰＥＧストリームへの変換が可能となり、ユーザの利便性を大きく高めることができる。
【図面の簡単な説明】
【図１】本発明の実施の形態１に関わる同期調整方法または装置の構成を示すブロック図
【図２】本発明の実施の形態１に関わる同期調整方法または装置の動作の説明図
【図３】本発明の実施の形態２に関わる同期調整方法または装置の構成を示すブロック図
【図４】本発明の実施の形態３に関わる同期調整方法または装置の構成を示すブロック図
【図５】本発明の実施の形態４に関わる同期調整方法または装置の構成を示すブロック図
【符号の説明】
１０１  フレームレート判定手段
１０２  Ａｕｄｉｏ／Ｖｉｄｅｏ分離手段
１０３  Ａｕｄｉｏデコーダ
１０４  Ａｕｄｉｏデータ調整手段
１０５  Ａｕｄｉｏエンコーダ
１０６  Ａｕｄｉｏ／Ｖｉｄｅｏ多重化手段
１０７  Ａｕｄｉｏデータ数カウント手段
１０８  Ａｕｄｉｏデータ増減手段
１０９  タイムコード変換手段
【図１】
2004343599.tif 000003
【図２】
2004343599.tif 000004
【図３】
2004343599.tif 000005
【図４】
2004343599.tif 000006
【図５】
2004343599.tif 000007